(57)【要約】　　　（修正有）【課題】情報再生装置における異なるＤＶＤ間の連続的な再生処理を滑らかに、かつ、迅速に実現することを可能とするとともに、装置をよりコンパクトに構成する。【解決手段】ＤＶＤプレーヤは、それらの面同士が相互に接触するように積層配列された複数枚のＤＶＤ１００を収納可能な筐体と、筐体内に配置され複数枚のＤＶＤの中の再生対象のＤＶＤ１００（４）を握持するＤＶＤ握持機構と、ＤＶＤ１００（４）の上下に位置するＤＶＤ１００（１）乃至（３）及びＤＶＤ１００（５）及び１００（６）を、再生対象ＤＶＤ１００（４）から離間させる再生対象ＤＶＤ分離機構４と、再生対象ＤＶＤのコンテンツ情報の情報記録面に対向するように配置可能であり、コンテンツ情報を再生することの可能なピックアップユニットとを備えている。【選択図】　　　図１４
2004054998.tif 000002
【特許請求の範囲】
【請求項１】
それらの面同士が相互に接触するように積層配列された複数枚のディスク状記録媒体を収納可能な筐体と、
該筐体内に配置され、前記複数枚のディスク状記録媒体の中の再生対象のディスク状記録媒体を握持する握持手段と、
前記再生対象のディスク状記録媒体以外の一又は複数の他のディスク状記録媒体を、当該再生対象のディスク状記録媒体から離間させる分離手段と、
前記再生対象のディスク状記録媒体の情報記録面に記録されたコンテンツ情報を再生する再生手段と
を備えたことを特徴とする情報再生装置。
【請求項２】
前記分離手段は、
前記他のディスク状記録媒体のうち前記再生対象のディスク状記録媒体の直近に位置するディスク状記録媒体を固持する固持手段と、
前記固持手段により固持された前記他のディスク状記録媒体を前記積層配列の積層方向に移動させる駆動手段と、
を備えていることを特徴とする請求項１に記載の情報再生装置。
【請求項３】
前記固持手段は、前記再生対象のディスク状記録媒体の直近に位置する前記他のディスク状記録媒体の中心孔における内周縁を固持することを特徴とする請求項２に記載の情報再生装置。
【請求項４】
前記固持手段は、
前記ディスク状記録媒体の中心孔を通り抜け可能に構成され、該ディスク状記録媒体の中心孔における内周縁に当接して固持する突出部が設けられた円盤部を含み、
前記駆動手段は、前記円盤部を移動させて前記再生対象のディスク状記録媒体の直近に位置する前記他のディスク状記録媒体の中心孔に位置付けることを特徴とする請求項３に記載の情報再生装置。
【請求項５】
複数枚のディスク状記録媒体は、相互に分離可能な第１蓋部及び第２蓋部を備えるとともに前記筐体内に装填可能な収納容器に、それらの面同士が相互に接触するように積層配列された収納され、
前記分離手段は、前記第１蓋部及び前記第２蓋部を、前記再生対象のディスク状記録媒体以外の他のディスク状記録媒体とともに前記再生対象のディスク状記録媒体から離間することを特徴とする請求項１乃至４のいずれか一項に記載の情報再生装置。
【請求項６】
前記収納容器は、前記第１蓋部及び前記第２蓋部のいずれか一方に設けられた凹部と他方の設けられた凸部とが嵌合して前記第１蓋部の前記第２蓋部に対する開閉動作を可能とし、さらに前記凹部と凸部との嵌合状態を解除することにより前記第１蓋部と前記第２蓋部とが分離可能に構成され、
前記分離手段は、前記筐体内に装填された収納容器の前記凸部と前記凹部との嵌合状態を解除する解除手段を備えていることを特徴とする請求項５に記載の情報再生装置。
【請求項７】
前記第１蓋部及び前記第２蓋部には、前記ディスク状記録媒体の外周縁の少なくとも一部を外部に曝す開口部が形成され、
前記握持手段は、前記筐体内に装填された収納容器内の再生対象のディスク状記録媒体における前記開口部より曝された外周縁をその径方向に握持することを特徴とする請求項５又は６に記載の情報再生装置。
【請求項８】
前記第１蓋部及び前記第２蓋部には、前記ディスク状記録媒体の中心孔に嵌め込み可能な円筒形状の固定手段が備えられ、
前記駆動手段は、前記固定手段が延在する方向に沿って前記円盤部を移動させて前記再生対象のディスク状記録媒体の直近に位置する前記他のディスク状記録媒体の中心孔に位置付けることを特徴とする請求項５乃至７のいずれか一項に記載の情報再生装置。
【請求項９】
前記突出部は所定弾性を有することを特徴とする請求項４乃至８のいずれか一項に記載の情報再生装置。
【請求項１０】
それらの面同士が相互に接触するように積層配列された複数枚のディスク状記録媒体をまとめて筐体内に挿入し所定位置に装填する工程と、
前記所定位置に装填されたディスク状記録媒体の中の再生対象のディスク状記録媒体を握持する工程と、
前記再生対象のディスク状記録媒体以外の一又は複数の他のディスク状記録媒体を、当該再生対象のディスク状記録媒体から離間させる工程と、
前記再生対象のディスク状記録媒体の情報記録面に記録されたコンテンツ情報を再生する工程と、
を含むことを特徴とする情報再生方法。
【発明の詳細な説明】
【０００１】
【発明の属する技術分野】
本発明は、ＣＤ（Ｃｏｍｐａｃｔ　Ｄｉｓｃ）、ＭＤ（Ｍｉｎｉ　Ｄｉｓｃ）、ＤＶＤ（Ｄｉｇｉｔａｌ　Ｖｅｒｓａｔｉｌｅ　Ｄｉｓｃ）等のディスク状の記録媒体に記録されたコンテンツ情報の再生が可能な情報再生装置及び情報再生方法の技術分野に属する。
【０００２】
【背景技術】
従来、ＣＤ、ＭＤ、ＤＶＤ等の記録媒体及びこれらを再生する各プレーヤが提供されている。このうちプレーヤとしては、例えば、屋内で音楽鑑賞又は映画鑑賞等を楽しむためのものや、自動車等に搭載されて使用される車載用のものも普及しはじめている。後者では、既存のカーステレオに電気的接続されたスピーカやカーナビゲーションシステムに電気的接続された画像表示装置等を介して、音楽又は映像等を楽しむことができる。
【０００３】
また、上述の各種の記録媒体のうちでは特に、ＤＶＤは、比較的大容量の映像情報、音声情報等のコンテンツ情報（例えば、映画一本分の画像及び音声等）を一枚のディスク内に収納可能な記録媒体であり、今後、主流の地位を占めるものと考えられる。
【０００４】
このようなＤＶＤは、情報再生装置の一例たるＤＶＤプレーヤによって再生されるが、このＤＶＤプレーヤとしては、従来において次のような構成を備えるものがあった。すなわち、複数枚のＤＶＤを収納可能であり、一のＤＶＤの再生終了後、該ＤＶＤの取り出し及び新たなＤＶＤの挿入という手間をかけずに、次のＤＶＤの再生処理を実行可能なＤＶＤプレーヤである。このような連続再生処理を実現するため、より具体的には、複数枚のＤＶＤを載置可能な複数のトレイを備えたディスク・ケースが用意されるとともに、当該ＤＶＤプレーヤに、このディスク・ケースを一括して装填する構造を有するものが知られている。このような構造では、あるＤＶＤを再生しようとする場合、当該ＤＶＤが載置されたトレイをディスク・ケースの外側に引っ張り出した後、当該ＤＶＤに対して、ディスククランプ機構、並びにスピンドルモータ及びピックアップ等を備えたユニット（以下、単に「ピックアップユニット」という。）を所定の位置に配置させた上で、再生処理が開始されるということになる。このようなＤＶＤプレーヤでは、上述の説明から明らかなように、ＤＶＤの挿脱ないし交換作業を一々行う必要がないから、ユーザの負担を軽減することができる。
【０００５】
【発明が解決しようとする課題】
しかしながら、上述のようなＤＶＤプレーヤにおいては、次のような問題点があった。すなわち、前記ディスク・ケースを装填可能なＤＶＤプレーヤでは、当該ＤＶＤプレーヤ内において、前記トレイを引っ張り出すための空間、換言すれば、ピックアップユニットを適当な位置に配置するとともにＤＶＤを再生するための空間を確保しなければならず、当該ＤＶＤプレーヤは、必然的に大型化せざるをえなかった点である。より具体的には、トレイの半分以上は、ディスク・ケースから引っ張り出す必要があった。このことは、該ＤＶＤプレーヤを車載用として構成する場合において大きな制約となる。自動車内において、上述のような空間を十分に確保できる場所としてはトランク内等しかないからである。つまり、このような連続再生処理可能なＤＶＤプレーヤを、例えば、より好ましい設置場所として想定されるダッシュボードの一部として構成することは一般に極めて困難だったのである。
【０００６】
また、上述のような構成となるＤＶＤプレーヤでは、あるＤＶＤの再生が完了した後、次のＤＶＤの再生を行おうとする場合において、一般に、比較的長い時間がかかるという問題点もあった。これは、このような連続再生に係る動作を行おうとするためには、第一に、再生済みＤＶＤからピックアップユニット等を退避させる、第二に、当該ＤＶＤを載置するトレイをディスク・ケース内に収納する。第三に、新たなＤＶＤを載置するトレイをディスク・ケース内から引っ張り出す、第四に、当該ＤＶＤに対してピックアップユニット等を所定位置に配置する、という各動作が必要であることによる。したがって、せっかく複数枚のＤＶＤを搭載しているにもかかわらず、異なるＤＶＤ間の滑らかな連続再生処理を行うことが困難だったのである。
【０００７】
本発明は、上記問題点に鑑みてなされたものであり、異なるディスク状記録媒体間の連続的な再生処理を滑らかに、かつ、迅速に実現することが可能であるとともに、よりコンパクトな情報再生装置を提供することを課題とする。また、本発明は、そのような情報再生装置を好適に運用することの可能な情報再生方法を提供することをも課題とする。
【０００８】
【課題を解決するための手段】
本発明の情報再生装置は、上記課題を解決するため、それらの面同士が相互に接触するように積層配列された複数枚のディスク状記録媒体を収納可能な筐体と、該筐体内に配置され、前記複数枚のディスク状記録媒体の中の再生対象のディスク状記録媒体を握持する握持手段と、前記再生対象のディスク状記録媒体以外の一又は複数の他のディスク状記録媒体を、当該再生対象のディスク状記録媒体から離間させる分離手段と、前記再生対象のディスク状記録媒体の情報記録面に記録されたコンテンツ情報を再生する再生手段とを備えている。
【０００９】
本発明の情報再生装置によれば、まず、その筐体内に収納されるディスク状記録媒体の一例たるＤＶＤは、それらの面同士が相互に接触するように積層されている。これにより、従来、各ＤＶＤを載置するために設けられていたトレイ等が必要なくなるから、これだけで、本発明に係る情報再生装置のコンパクト化を相応に達成することができる。
【００１０】
次に、本発明の情報再生装置は、再生対象のディスク状記録媒体（以下、単に「再生対象ＤＶＤ」という。）を握持する握持手段を備え、かつ、該再生対象ＤＶＤ以外の一又は複数の他のディスク状記録媒体（以下、単に「被分離ＤＶＤ」という。）を、該再生対象ＤＶＤから離間させる分離手段を備えている。ここで「握持手段」とは、例えば再生対象ＤＶＤの外周を径方向に握持するアーム等を具備するものを想定することができる。また、「分離手段」とは、後述するようにＤＶＤ収納容器の構成との関連を図った上で最適な分離動作を実現することができる態様の他、単純には、上述の握持手段と同様に、当該被分離ＤＶＤの外周を径方向に握持するアーム等と該アーム等を介して被分離ＤＶＤを移動させる手段等を具備するものを想定することができる。
【００１１】
なお、本発明に係るディスク状記録媒体は、「面同士が相互に接触するように積層配列された複数枚」として筐体内に収納されることにより、本発明にいう「被分離ＤＶＤ」は、典型的には、再生対象ＤＶＤの面に垂直な方向で、且つ、その両側に位置することになる。したがって、以下では、特に断りがない限り、本発明の「一又は複数の他のディスク状記録媒体」と同義の用語として、「第１の被分離ＤＶＤ」、あるいは「第２の被分離ＤＶＤ」という用語を使うことがある。ここに「第１」及び「第２」というのは、それぞれ、前記の「両側」のうち「一方の側」及び「他方の側」という意味を有している。
【００１２】
また、再生対象ＤＶＤに対する被分離ＤＶＤの「離間」は、前記の第１及び第２の被分離ＤＶＤが、再生対象ＤＶＤの面に垂直な方向に行われることが好ましい。また、「離間」の距離は、再生対象ＤＶＤの情報記録面に対向する第１（又は第２）の被分離ＤＶＤについては、後記の再生手段が配置可能な程度に、他方、第２（又は第１）の被分離ＤＶＤについては、再生対象ＤＶＤと接触しない程度に、それぞれ設定すればよい。
【００１３】
さて、本発明では、以上のように再生対象ＤＶＤがいわば分離状態とされることになる。再生手段は、この分離された再生対象ＤＶＤのコンテンツ情報の情報記録面に対向するように配置され、かつ、前記コンテンツ情報を再生することとなる。なお、当該再生対象ＤＶＤの再生が完了し、次なる再生対象のＤＶＤを再生する場合においては、前記の第１及び第２の被分離ＤＶＤと再生対象ＤＶＤとが、直接に重ね合わされた状態となるようにした後、当該次なる再生対象ＤＶＤに関して、上述の動作（すなわち、握持動作、分離動作及び再生動作）を繰り返せばよい。
【００１４】
ここで、本発明においては、再生対象ＤＶＤの分離に関し、必要となる動作がきわめて小さい。すなわち、第１の被分離ＤＶＤは、これと再生対象ＤＶＤとの間に再生手段を配置することが可能な程度に移動すればよいし、第２の被分離ＤＶＤに至っては、再生対象ＤＶＤと接触しない程度の最小限の移動で足りる。すなわち、本発明に係る情報再生装置では、上述の移動を実現するためのスペースさえ存在しておれば、再生対象ＤＶＤの再生を実行することができるので、装置の大型化を招くようなことがないのである。また、再生対象ＤＶＤの分離に必要となる動作が極めて小さいということは、あるＤＶＤを再生した後、新たなＤＶＤを再生する、連続再生処理を、極めて滑らかに、かつ、迅速に行えることを意味する。
【００１５】
以上のように、本発明によれば、連続再生処理を極めて滑らかに且つ迅速に行える、換言すれば、再生対象ＤＶＤの選択を極めて迅速に行えるとともに、よりコンパクトに構成することの可能な情報再生装置を提供することができる。
【００１６】
また、本発明の情報再生装置が車載用である場合においては、該情報再生装置はよりコンパクトに構成可能であるから、従来のように、該情報再生装置をトランク等の比較的大きな空間に配置する必要は必ずしもなく、キャビン内等、より狭隘な空間内に配置することが可能となる。その一例としては、当該情報再生装置を、ダッシュボードの一部として構成するとよい。このような形態によれば、ユーザのすぐ手元にＤＶＤプレーヤがあることにより、当該情報再生装置内に収納したＤＶＤの交換等を行う場合も、これを容易に実現することが可能となる。
【００１７】
なお、本発明において、「再生対象のディスク状記録媒体」は、「面同士が相互に接触するように積層配列された複数枚のディスク状記録媒体」の中から任意に選択可能であるから、その積層配列された複数枚のＤＶＤのうちの一番端に位置するＤＶＤが、当該再生対象ＤＶＤとして選択される場合も勿論含まれる。ただし、このような場合においては、第１の被分離ＤＶＤ又は第２の被分離ＤＶＤのいずれか一方は、存在しないことになる（すなわち、第１の被分離ＤＶＤ又は第２の被分離ＤＶＤの枚数が「０枚」ということになる。）。なお、本発明にいう「一…の他のディスク状記録媒体」とは、このような場合のみを意味し、また、「複数の他のディスク状記録媒体」とは、このような場合を含むほか、第１及び第２の被分離ＤＶＤがともに存在する場合を当然に意味する。いずれにせよ、本発明は、複数枚のＤＶＤのうちの一番端に位置するＤＶＤが再生対象ＤＶＤとして選択されるような場合を含む。
【００１８】
本発明の情報再生装置の一態様では、前記分離手段は、前記他のディスク状記録媒体のうち前記再生対象のディスク状記録媒体の直近に位置するディスク状記録媒体を固持する固持手段と、前記固持手段により固持された前記他のディスク状記録媒体を前記積層配列の積層方向に移動させる駆動手段と、を備えている。
【００１９】
この態様によれば、再生対象ＤＶＤの分離をより好適に実現することができる。例えば、第１及び第２の被分離ＤＶＤが、再生対象ＤＶＤの「上」及び「下」に位置する場合を仮定するとともに、固持手段が、第１及び第２の被分離ＤＶＤそれぞれのために、第１及び第２固持手段からなり、駆動手段もまた、同様に第１及び第２駆動手段からなる場合を想定すると、まず、第１の被分離ＤＶＤの最下段に位置するＤＶＤ（すなわち、再生対象ＤＶＤの「直上」に位置するＤＶＤ）は、第１固持手段により固持され、第２の被分離ＤＶＤの「最上段」に位置するＤＶＤ（すなわち、再生対象ＤＶＤの「直下」に位置するＤＶＤ）は、第２固持手段により固持されることになる。そして、第１駆動手段は、第１固持手段を介して前記の最下段に位置するＤＶＤに力を作用させることにより、第１の被分離ＤＶＤの全体をいわば持ち上げるように移動させることになり、第２駆動手段は、第２固持手段を介して前記の最上段に位置するＤＶＤに力を作用させることにより、第２の被分離ＤＶＤの全体をいわば引き下げるように移動させることになる。
【００２０】
このように、本態様に係る情報再生装置によれば、再生対象ＤＶＤと第１及び第２の被分離ＤＶＤの離間を好適に実現することができる。
【００２１】
なお、上述では、「上下」を例に説明を行ったが、本発明はこのような形態に限定されるものではなく、例えば、「左右」とか、変則的ではあるものの「左斜め上及び右斜め下」等という場合も含まれる。
【００２２】
この態様では特に、前記固持手段は、前記再生対象のディスク状記録媒体の直近に位置する前記他のディスク状記録媒体の中心孔における内周縁を固持するようにするとよい。
【００２３】
このような構成によれば、固持手段による前記一又は複数の他のディスク状記録媒体を好適に固持することが可能となるから、上述したような動作を確実になしえ、もって前記作用効果をより効果的に享受することが可能となる。
【００２４】
この構成では更に、前記ディスク状記録媒体の中心孔を通り抜け可能に構成され、該ディスク状記録媒体の中心孔における内周縁に当接して固持する突出部が設けられた円盤部を含み、前記駆動手段は、前記円盤部を移動させて前記再生対象のディスク状記録媒体の直近に位置する前記他のディスク状記録媒体の中心孔に位置付ける。
【００２５】
このような構成によれば、上述したような、第１の被分離ＤＶＤの持ち上げ、あるいは第２の被分離ＤＶＤの引き下げといった動作を、より好適に実現することができる。
【００２６】
例えば、本態様における分離手段は、その外周側から順に、円筒部、固持手段たる円盤部及びボールねじというような少なくとも三つの構成を有するものを想定することができる。そして、ボールねじは、円盤部に形成された、内周にねじが切られた孔に螺合かつ貫通配置されているとともに、該円盤部は円筒部内に収納されており、且つ、該円盤部の外周に設けられた突出部は、前記円筒部の外周かつ長手方向に沿って形成された孔から突出されているとする。
【００２７】
このような構造によれば、ボールねじをその軸方向を中心として回転させると、円盤部もそれとともに回転するはずのところ、該円盤部の突出部が前記円筒部の孔から突出しているため、該円盤部の回転動作が制約を受けることとなる。そして、このように回転動作が制約された円盤部は、その内周にねじが切られていることにより、前記ボールねじの回転によって、結局、円筒部に沿った動きをすることとなる。
【００２８】
そして、上述の場合において、前記円盤部の突出部の先端を連ねて観念される円形の径と、ＤＶＤの中心孔の径とが、適当な関係にあれば、該円盤部を円筒部内で適当に移動させることのみをもって、前述したような複数枚のＤＶＤのうちから再生対象となるＤＶＤの固持、ひいてはその「分離」を容易に実現することが可能となるのである。より具体的には次のようである。
【００２９】
上述した例に沿い、いま、収納容器内に６枚のＤＶＤがあり、その４枚目のＤＶＤを「分離」したい場合を考えると、第１固持手段たる円盤部を収める円筒部内では、その長手方向に沿って、該円盤部を３枚目のＤＶＤが位置する箇所まで移動させる一方、第２固持手段においては、第１固持手段と同様に、前記とは別の円盤部を２枚目のＤＶＤが位置する箇所まで移動させる。いずれについても、第１及び第２駆動手段のそれぞれを構成するボールねじを適当な角度（例えば、２回転以上を３６０°、…、７２０°、…、１０８０°等とカウントし、逆回転の場合には、−３６０°、…、−７２０°等とする。）だけ回転させることによればよい。なお、この際、円盤部は、目的のＤＶＤに到達するまで、該ＤＶＤに積層されている他のＤＶＤの中心孔を通り抜ける。
【００３０】
このようにして、二つの円盤部が３枚目及び２枚目のＤＶＤに到達したときには、それぞれの場所において、円盤部の突出部の先端が、ＤＶＤの中心孔の内周を適当な力で押さえ付けることが可能なように、両者の材質、形状等を調整しておけば、当該円盤部によって、ＤＶＤをその内側から固持することが可能となる。そして、この状態が実現された後、再生対象ＤＶＤの外周を前記握持手段により握持するとともに、第１駆動手段及び第２駆動手段により第１及び第２の被分離ＤＶＤの固持点を作用点とする力を働かせれば、３枚のＤＶＤ及び２枚のＤＶＤそれぞれを、当該再生対象のＤＶＤから離間させるように移動させることが可能となるのである。なお、この場合、第１の被分離ＤＶＤに働かせる力と、第２の被分離ＤＶＤに働かせる力とは、ちょうど反対方向になることは言うまでもない。
【００３１】
このように、本構成によれば、複数枚のＤＶＤのうちの任意の一枚のＤＶＤの特定、ひいてはその分離を容易に実現することが可能となる。
【００３２】
本発明の情報再生装置の他の態様では、複数枚のディスク状記録媒体は、相互に分離可能な第１蓋部及び第２蓋部を備えるとともに前記筐体内に装填可能な収納容器に、それらの面同士が相互に接触するように積層配列された収納され、前記分離手段は、前記第１蓋部及び前記第２蓋部を、前記再生対象のディスク状記録媒体以外の他のディスク状記録媒体とともに前記再生対象のディスク状記録媒体から離間する。
【００３３】
この態様によれば、複数枚のＤＶＤがいったん収納容器に収納された上、該収納容器が当該情報再生装置に収納されることで、当該複数枚のＤＶＤの情報再生装置に対する収納を実現することができる。この場合、収納容器を利用することで、情報再生時以外は、複数枚のＤＶＤを一時に保管・運搬すること等が可能となり、情報再生時には、これを１パックとして情報再生装置内に収納することが可能となるから、取り扱いに便利となる。
【００３４】
そして本態様では特に、収納容器を構成する第１蓋部及び第２蓋部が相互に分離可能であり、第１及び第２の被分離ＤＶＤと再生対象ＤＶＤとの分離は、第１の被分離ＤＶＤ及び第１蓋部が共に移動することによって、また、第２の被分離ＤＶＤ及び第２蓋部が共に移動することによって、それぞれ実現されることになる。
【００３５】
このように、本態様によれば、複数枚のＤＶＤの取り扱いを容易にする収納容器を更に備えるにもかかわらず、上述したような、再生対象ＤＶＤの第１及び第２の被分離ＤＶＤに対する分離を略同様に実現することができる。
【００３６】
この態様では特に、前記収納容器は、前記第１蓋部及び前記第２蓋部のいずれか一方に設けられた凹部と他方の設けられた凸部とが嵌合して前記第１蓋部の前記第２蓋部に対する開閉動作を可能とし、さらに前記凹部と凸部との嵌合状態を解除することにより前記第１蓋部と前記第２蓋部とが分離可能に構成され、前記分離手段は、前記筐体内に装填された収納容器の前記凸部と前記凹部との嵌合状態を解除する解除手段を備えているように構成するとよい。
【００３７】
このような構成によれば、収納容器による第１蓋部及び第２蓋部の固定は、凸部及び凹部の嵌合により実現することができる。したがって、収納容器内に収納された複数枚のＤＶＤの持ち運びはこれを安全に行うことができる。なお、第１蓋部及び第２蓋部それぞれの凸部及び凹部の形成位置等を適当に定めれば、該凸部及び該凹部の嵌合部分を、いわばヒンジとして利用することが可能となり、この場合、第１蓋部及び第２蓋部の開閉を好適に実現することができる。
【００３８】
そして本態様では特に、前記凹部と凸部との嵌合状態を解除することが可能な解除手段が備えられている。この解除手段としては、より具体的には、次のようなものを想定することができる。
【００３９】
すなわち例えば、前記凸部は、第１蓋部を構成する対向する二つの対向面に備えられており、凹部は、前記二つの対向面に対応する、第２蓋部を構成する二つの対向面の上に備えられているとする。そして、当該凸部（又は当該凹部）を含む平面形状を有し、該平面形状の外周部の一部が当該対向面と接続され、かつ、その残部が当該対向面から切り離された「舌片部」を想定する。この舌片部は、例えば、前記平面形状として四辺形状を想定すると、その一辺が前記対向面に接続され、残る三辺が当該対向面から切り離された形を有することになる。
【００４０】
このような舌片部は、前記一辺を軸として、前記対向面が載る平面から離脱させるように移動可能である。例えば、前記残る三辺のうち、対向面に接続された一辺に対向する一辺の近傍を、当該収納容器の外部から内部へ向けて押すようにすれば、当該舌片部は、その先端が、基端（上述の、対向面に接続された、あるいは軸となる一辺である。）を支点として「しなる」ように移動することになる。これにより、凸部及び凹部間の嵌合が解けて、両者は離間することとなる。この場合、舌片部、並びに舌片部を押す手段（例えば、押圧ピン）等が、本態様にいう「解除手段」の一例に該当することとなる。
【００４１】
以上のように、本態様に係る情報再生装置では、一体として取り扱える収納容器を更に備えるにもかかわらず、再生対象ＤＶＤの第１及び第２の被分離ＤＶＤに対する分離を実現でき、更には、この分離を比較的容易に実現することができる。
【００４２】
収納容器を備える態様では更に、前記第１蓋部及び前記第２蓋部には、前記ディスク状記録媒体の外周縁の少なくとも一部を外部に曝す開口部が形成され、前記筐体内に装填された収納容器内の再生対象のディスク状記録媒体における前記開口部より曝された外周縁をその径方向に握持するような構成とするとよい。
【００４３】
このような構成によれば、再生対象のディスク状記録媒体の握持を好適に行うことができる。すなわち、複数枚のＤＶＤが収納容器内に収納されているにもかかわらず、上述の握持手段は、開口部を通じて、再生対象ＤＶＤの外周を握持することが可能である。したがって、収納容器による複数枚のＤＶＤの取り扱い容易性と本発明に係る情報再生装置によるＤＶＤ連続再生処理の迅速性等とを、より好適に実現することができる。また、再生対象ＤＶＤを上述のように握持すれば、分離手段が行うべき動作を比較的自然なものとすることができるから、該分離手段の構造等の簡略化等を実現することができる。
【００４４】
あるいは、収納容器を備える態様では更に、前記第１蓋部及び前記第２蓋部には、前記複数のディスク状記録媒体の中心孔に嵌め込み可能な円筒形状の固定手段が備えられ、前記駆動手段は、前記固定手段が延在する方向に沿って前記円盤部を移動させて前記再生対象のディスク状記録媒体の直近に位置する前記他のディスク状記録媒体の中心孔に位置付けるような構成とするとよい。
【００４５】
このような構成によれば、収納容器には、ＤＶＤの中心孔に嵌め込み可能な円筒形状の固定手段が備えられていることにより、収納容器内のＤＶＤの固定を確実になすことができ、保管・運搬等における安全性を高めることが可能となる。
【００４６】
そして本態様では特に、前記の固定手段が、前記円盤部の移動を助ける構成であることから、第１の被分離ＤＶＤ及び第２の被分離ＤＶＤの再生対象ＤＶＤに対する離間を実現するための分離手段の一部（すなわち、前述の固持手段の少なくとも一部）を構成している形になる。したがって、このような「離間」動作は、収納容器における固定手段（「容器側分離手段」ともいい得る。）と、当該情報再生装置側に設けられた装置側分離手段との、いわば協働作業により実現されることになる。
【００４７】
これにより、本構成においては、分離手段を、情報再生装置側及び収納容器側というように役割分担した上で構成することが可能となり、したがって、情報再生装置側の構成を簡略化することができる。また、本構成では、第１の被分離ＤＶＤ及び第１蓋部の同時移動、あるいは第２の被分離ＤＶＤ及び第２蓋部の同時移動をも、好適に実現することができる。
【００４８】
なお、本態様における収納容器では、上述のような「固定手段」に加えて、既述の「開口部」、あるいは「解除手段」の少なくとも一部ないし「舌片部」を併せもつ形態としてよい。このような形態によれば、固定手段に係る上述のような作用効果と、「開口部」、あるいは「解除手段」の少なくとも一部ないし「舌片部」に係る作用効果とを併せ享受することが可能となるから、複数枚のＤＶＤの分離を、なおよく好適に実現することができる。
【００４９】
本発明の情報再生装置の他の態様では、前記突出部は所定弾性を有する。
【００５０】
このような構成によれば、円盤部が、ＤＶＤの中心孔を通り抜ける移動を好適に実現可能であると同時に、該円盤部によるＤＶＤの内周からの固持を実現するという要請を好適に満たすことが可能である。すなわち、前者の「移動」を実現するためには、より具体的には、例えば、第１の被分離ＤＶＤ（これを３枚のＤＶＤとする。）の離間動作の前提としての円盤部の「移動」を実現するためには、該３枚目のＤＶＤに到達するまで、円盤部は２枚のＤＶＤの中心孔を通過しなければならない。このとき、突出部の剛性があまりに大きいと、これが不可能となる。また、後者の「固持」を実現するためには、当該３枚目のＤＶＤに到達した時点において、これを固持しなければならないが、突出部の弾性があまりに大きいと、これが不可能となる。このように、両者を実現するためには、一般に、突出部とディスク状記録媒体の中心孔との間には、その材料、形状等に関して、一定の好ましい条件がある（なお、「ディスク状記録媒体」の材料、孔の大きさ等は、通常所与のものであるから、上述の移動及び握持を実現するためには、もっぱら「突出部」の材料、形状等を調整することになるものと考えられる。）。
【００５１】
より具体的には、突出部の先端を連ねた円形の大きさとＤＶＤの中心孔の大きさとが略一致し、かつ、該突出部が適当な材料で構成されることが好ましい。
【００５２】
本態様では、このような事情の下、突出部が所定弾性を有するように構成されているから、上述の移動及び固持を好適に実現することができる。
【００５３】
ちなみに、ここにいう「所定弾性」の具体的な値は一概には決し得ないが、円盤部の駆動源にあたる駆動手段に必要な動力の大きさを主要因とした、様々な要因を考慮することにより、実験的、経験的、理論的、又はシミュレーション等によって、好適に決定することが可能である。
【００５４】
なお、本発明においては、上述したことから明らかなように、突出部を所定弾性を有するように形成することが最も好ましい一形態ではあるが、その他にも、種々の形態を採用し得ることは言うまでもない。
【００５５】
本発明の情報再生方法は、上記課題を解決するために、それらの面同士が相互に接触するように積層配列された複数枚のディスク状記録媒体をまとめて筐体内に挿入し所定位置に装填する工程と、前記所定位置に装填されたディスク状記録媒体の中の再生対象のディスク状記録媒体を握持する工程と、前記再生対象のディスク状記録媒体以外の一又は複数の他のディスク状記録媒体を、当該再生対象のディスク状記録媒体から離間させる工程と、前記再生対象のディスク状記録媒体の情報記録面に記録されたコンテンツ情報を再生する工程とを含む。
【００５６】
本発明の情報再生方法によれば、上述の本発明の情報再生装置を好適に運用することが可能となる。
【００５７】
本発明のこのような作用及び他の利得は次に説明する実施の形態から明らかにされる。
【００５８】
【発明の実施の形態】
以下では、本発明の実施の形態について図を参照しつつ説明する。以下の実施形態は、本発明の情報再生装置をＤＶＤプレーヤに適用したものである。
【００５９】
まず、図１乃至図６を参照しながら、本実施形態のＤＶＤプレーヤの構成について説明する。ここに図１は、本実施形態に係るＤＶＤプレーヤの概略的な構成を示す斜視図である。なお、図２から図６は、図１のＤＶＤプレーヤを構成する各種構成の詳細を示す説明図であり、以下の説明中、適所において改めて触れることとする。
【００６０】
図１において、ＤＶＤプレーヤ１は、筐体１Ｂ、ＤＶＤ握持機構２、ＤＶＤケース分離機構３、再生対象ＤＶＤ分離機構４、ピックアップユニット５等からなっている。このうち筐体１Ｂには、図１に示すように、ＤＶＤケースＸＣを挿脱するための挿脱口１ＢＨが形成さている。複数枚のＤＶＤ１００は、前記ＤＶＤケースＸＣとともに、この挿脱口１ＢＨを通じて、ケース搬送機構、例えば、ＤＶＤケースＸＣの両側を担持してスライド移動させる機構により、前述の各種構成（ＤＶＤ握持機構２、ＤＶＤケース分離機構３、再生対象ＤＶＤ分離機構４及びピックアップユニット５）の概ね中心に配置されるようになっている。
【００６１】
まず、ＤＶＤプレーヤ１の本体を構成する上記各種構成の説明に入る前に、本実施形態において再生対象ＤＶＤ分離機構４の一部を構成する（後述する。）等その他の重要な役割を担うこととなるＤＶＤケースＸＣの詳細な構成について、図２乃至図５を参照しながら説明することとする。ここに図２は、本実施形態に係るＤＶＤケースの全体的な概要を示す斜視図であり、図３は、前記ＤＶＤケースを構成する上蓋部の平面図である。また、図４は、図３における符号Ａが示す円形内の拡大図であって、舌片部の構成を示す説明図であり、図５は、舌片部の全体構成を示す斜視図である。
【００６２】
図２において、ＤＶＤケースＸＣは、大きく、上蓋部ＸＣ１及び下蓋部ＸＣ２、並びに、これら上蓋部ＸＣ１及び下蓋部ＸＣ２に設けられたガイド機構ＸＧ１及びＸＧ２（本発明にいう「固持手段」の一例に該当する。）等からなる。以下これらの構成について順次詳しく説明する。
【００６３】
上蓋部ＸＣ１及び下蓋部ＸＣ２は、図２に示すように、直方体上の一面を除く他の面の少なくとも一部により囲まれた空間を収納空間とする形状を有している。すなわち、上蓋部ＸＣ１は、略直方形状の上面ＸＣ１１、該上面ＸＣ１１の一辺に垂直に立つ側壁面ＸＣ１３、そして上面ＸＣ１１の残る二辺に垂直に立つとともに前記側壁面ＸＣ１３と垂直な関係にある対向面ＸＣ１４及びＸＣ１５という四面を有する。なお、これらのうち側壁面ＸＣ１３に対向すべき側壁面については、上蓋部ＸＣ１に現実には設けられていない。一方、下蓋部ＸＣ２においても、上述の上蓋部ＸＣ１と略同様に、下面ＸＣ２１、側壁面ＸＣ２２及びＸＣ２３、対向面ＸＣ２４及びＸＣ２５という五面を有している。下蓋部ＸＣ２では、上述の上蓋部ＸＣ１においては存在しなかった側壁面に対応する側壁面ＸＣ２２が、現実に設けられている（図２参照）。
【００６４】
これら各面においては、次のような構成が備えられている。まず、上蓋部ＸＣ１の対向面ＸＣ１４及びＸＣ１５には、それぞれ開口部ＸＣ１４Ｈ及びＸＣ１５Ｈが、また、下蓋部ＸＣ２の対向面ＸＣ２４及びＸＣ２５にも、それぞれ前記開口部ＸＣ１４Ｈ及びＸＣ１５Ｈに対応するように、開口部ＸＣ２４Ｈ及びＸＣ２５Ｈが形成されている。これら開口部ＸＣ１４Ｈ、ＸＣ１５Ｈ、Ｘ２４Ｈ及びＸＨ２５は、図３に示すように、収納されたＤＶＤ１００の外周を、その外側から握持することを可能とする（図３中の矢印参照。この矢印の指し示す方向が握持方向である。）。
【００６５】
また、上蓋部ＸＣ１の対向面ＸＣ１４及びＸＣ１５には、それぞれ凹部ＸＣ１４１及びＸＣ１５１が形成されているとともに、下蓋部ＸＣ２の対向面ＸＣ２４及びＸＣ２５には、それぞれ凸部ＸＣ２４１及びＸＣ２５１が形成されている。本実施形態において、これらは対向面ＸＣ１４及びＸＣ１５並びにＸＣ２４及びＸＣ２５の図２中最左方に形成されている。そして、これらのうち、凹部ＸＣ１４１と凸部ＸＣ２４１とは、図３に示す符号Ａの部位の拡大図たる図４に示すように、後者が前者に嵌合されるようになっている。なお、図示はしないが凹部ＸＣ１５１及び凸部ＸＣ２５１ついても同様である。このような嵌合、並びに、これら凸部ＸＣ２４１及びＸＣ２５１並びに凹部ＸＣ１４１及びＸＣ１５１の形成位置により、本実施形態に係るＤＶＤケースＸＣでは、図２に示すように、前記嵌合部位を中心とした上蓋部ＸＣ１の下蓋部ＸＣ２に対する開閉動作が可能とされている（図４の両矢印参照）。
【００６６】
さらに、下蓋部ＸＣ２の対向面ＸＣ２４及びＸＣ２５にはそれぞれ、図２及び図４に示すように、前記の凸部ＸＣ２４１及びＸＣ２５１を含むように舌片部ＸＣ２４Ｚ及びＸＣ２５Ｚが形成されている。このうち舌片部ＸＣ２４Ｚは、図４及び図５に示すように略四辺形状を有しており、その一辺が対向面ＸＣ２４に接続され（以下、当該一辺を「接続辺Ｚ１」という。）、かつ、他の三辺が当該対向面ＸＣ２４から切り離されている（以下、当該三辺を「切断辺Ｚ２」という。）。これにより、当該舌片部ＸＣ２４Ｚは、図４に示す破線のように、接続辺Ｚ１を軸として、対向面ＸＣ２４が載る平面から離脱するように移動させることが可能となっている。すなわち、舌片部ＸＣ２４Ｚは、その先端がいわば「しなる」ように変形可能となっているのである。ちなみに、上蓋部ＸＣ１の対向面ＸＣ１４には、図４に示すように、舌片部ＸＣ２４Ｚの先端付近を外部から押すことが可能なように、切り欠き部ＸＣ１４２及びＸＣ１５２が形成されている。この切り欠き部ＸＣ１４２及びＸＣ１５２により、図４に示す白抜き矢印のように、舌片部ＸＣ２４Ｚを外部から押すことが可能となる。なお、図示はしないが、これらの構成は、対向面ＸＣ２５における舌片部ＸＣ２５Ｚについても全く同様に備えられている。
【００６７】
ちなみに、このような構成となる上蓋部ＸＣ１及びＸＣ２は、適当なプラスチック材料等により構成すればよい。本実施形態においては、これら上蓋部ＸＣ１及びＸＣ２は、透明なプラスチック材料で構成されている。そのため、図２においては、本来ならば背後に隠れるべき部位もまた示されている。
【００６８】
一方、上蓋部ＸＣ１の上面ＸＣ１１の中心及び下蓋部ＸＣ２の下面ＸＣ２１の中心には、それぞれ、ガイド機構ＸＧ１及びＸＧ２が設けられている。このガイド機構ＸＧ１及びＸＧ２は、図２等に示すように、その外形が略円筒形状を有しており、収納されたＤＶＤ１００の孔に嵌め込み可能となっている。また、該ガイド機構ＸＧ１及びＸＧ２同士では、前者の外径が後者の内径よりも小さく形成されており、そのような関係において（すなわち、前者が後者に対して）嵌め込み可能とされている。
【００６９】
このガイド機構ＸＧ１及びＸＧ２は、上述のように、その径が異なるように形成されているものの、残余は円盤部（ＸＧ１１）、円筒部（ＸＧ１２）及びボールねじ（ＸＧ１３）を備える等（図９参照）略同様な構成を備えている。このような構成は、本実施形態において再生対象ＤＶＤ分離機構４の一部を構成しているが、この点について、あるいは前述の円盤部等の詳細な構成及び動作等については、後述する再生対象ＤＶＤ分離機構４の詳細説明時に併せて説明を行うこととする。
【００７０】
以下では、ＤＶＤプレーヤ１の本体を構成する各種構成要素、すなわちＤＶＤ握持機構２、ＤＶＤケース分離機構３、再生対象ＤＶＤ分離機構４及びピックアップユニット５等の詳細について説明する。
【００７１】
ＤＶＤ握持機構２は、図１及び図６に示すように、ＤＶＤ１００を握持するためのチャック部２０１、該チャック部２０１に螺合かつ貫通配置されているボールねじ２０３、該ボールねじ２０３に回転動力を伝達するギア群２０５、該ギア群２０５の一つに接続されている駆動モータ２０７等からなる。このうちチャック部２０１には、固定軸２０９が貫通配置されている。なお、図６は、ＤＶＤ握持機構の構成を示す図であって、（ａ）はその正面図、（ｂ）は平面図である。
【００７２】
チャック部２０１は、ＤＶＤケースＸＣに収納された複数枚のＤＶＤ１００のうち、任意の一枚、より具体的には再生対象となるＤＶＤ１００についての外周を径方向に握持する。このチャック部２０１には、ボールねじ２０３及び固定軸２０９が貫通配置されており、ボールねじ２０３を回転させることによって、固定軸２０９によって回転運動が規制されたチャック部２０１は、図中上下方向に移動可能とされている。ボールねじ２０３には、駆動モータ２０７で発生した動力が、ギア群２０５を介して伝達されるようになっている。これにより、駆動モータ２０７を適当に制御することによって、例えば、ＤＶＤケースＸＣ内の「上から３枚目」のＤＶＤ１００を握持する等ということを実現することができる。
なお、このようなＤＶＤ１００の握持は、ＤＶＤケースＸＣに形成されていた開口部ＸＣ１４Ｈ及びＸＣ１５Ｈ並びにＸＣ２４Ｈ及びＸＣ２５Ｈを通じて行うことが可能となっている。
【００７３】
これらＤＶＤ握持機構２を構成する各要素は、ＤＶＤ１００の径方向両側からこれを握持するため、図に示すように左右一組ずつ設けられている（図中の各符号の「Ｌ」及び「Ｒ」参照）。なお、図においては、各組について駆動モータ２０７Ｌ及び２０７Ｒが設けられているが、本発明は、このような形態に限定されるものではなく、例えば、いずれか一方の組にのみ駆動モータ２０７を設け、他方の組についてはプーリ等を介して伝達される当該駆動モータ２０７の動力を利用して、左右双方のチャック部２０１Ｌ及び２０１Ｒの移動を実現するような構成としてもよい。
【００７４】
ＤＶＤケース分離機構３は、図１及び図７に示すように、舌片部押しピン３０１、偏心カム３０３及び動力伝達軸３０５等を備えている。なお、このＤＶＤケース分離機構３は、上述のＤＶＤ握持機構２と同様に、左右両側に一組ずつ設けられているが、図７においてはそのうちの一方のみについて示した。ここに図７は、ＤＶＤケース分離機構の構成を示す平面図である。
【００７５】
舌片部押しピン３０１の先端は、ＤＶＤケースＸＣの対向面ＸＣ１４に形成された前記の舌片部ＸＣ１４Ｚの略先端位置を押すことが可能である。この舌片部押しピン３０１の基端は、偏心カム３０２の外周に当接されており、該偏心カム３０２が動力伝達軸３０５を中心に回転することによって、舌片部押しピン３０１の先端が、図中右方向へ飛び出し、又は、図中左方向へ引っ込むようになっている。なお、図示はしないが、動力伝達軸３０５には、適当な駆動モータ等が接続されるようになっている。
【００７６】
再生対象ＤＶＤ分離機構４は、図１及び図８に示すように、ＤＶＤケースＸＣの上下に配置可能なアーム部４０２、該アーム部４０２の先端に設けられた握持回転部４０１、アーム部４０２の基端に貫通配置されたボールねじ４０３等を有している。ここに図８は、再生対象ＤＶＤ分離機構４の構成を示す図であって、（ａ）はその正面図、（ｂ）は平面図である。ただし、本実施形態に係る再生対象ＤＶＤ分離機構４は、前述したように、上述のアーム部４０２等以外に、その構成の一部としてＤＶＤケースＸＣに設けられたガイド機構ＸＧ１及びＸＧ２を利用する。すなわち、本実施形態においては、再生対象のＤＶＤ１００の分離動作を、再生対象ＤＶＤ分離機構４とＤＶＤケースＸＣのガイド機構ＸＧ１及びＸＧ２との協働的な動作によって実現するようになっている（後述の図１３及び図１４等参照）。
【００７７】
以下では、まず、前記ガイド機構ＸＧ１及びＸＧ２の詳細な構成について説明する。
【００７８】
ガイド機構ＸＧ１及びＸＧ２（以下、「ＸＧ１」に代表させる。）は、図９に示すように、大きく、円盤部ＸＧ１１、円筒部ＸＧ１２及びボールねじＸＧ１３からなる。ここに図９は、ガイド機構ＸＧ１の詳細を示す分解斜視図である。
【００７９】
円盤部ＸＧ１１は、その内周にねじが切られた孔ＸＧ１１１を有しているとともに、その外周に突出部ＸＧ１１２を設けた構成となっている。突出部ＸＧ１１２は、適当な弾性を有する材料から構成されており、図９に示すように、円盤部ＸＧ１１の外周から四方に飛び出すように（すなわち、各々が９０°間隔を保って）形成されている。これら各突出部ＸＧ１１２の先端を連ねると略円形状となるが、その大きさは、ＤＶＤ１００の中心孔の大きさに略一致している。また、この突出部ＸＧ１１２とＤＶＤ１００の中心孔との間においては、いま述べた「大きさ」に関する他、後述するような一定の関係が存在している。
【００８０】
円筒部ＸＧ１２は、前記円盤部ＸＧ１１をその内側に収めるとともに、前記突出部ＸＧ１１２を突出可能とするため、その側壁ＸＧ１２１上かつ該円筒部ＸＧ１２の長手方向に沿って形成された孔ＸＧ１２２を備えている。この孔ＸＧ１１２は、突出部ＸＧ１１２が四方に形成されていたことに対応して、やはり側壁ＸＧ１２１の四方に形成されている。
【００８１】
ボールねじＸＧ１３は、円盤部ＸＧ１３１の孔ＸＧ１１１に螺合かつ貫通配置される。また、本実施形態においては特に、このボールねじＸＧ１３の先端には、掴み部ＸＧ１３１が形成されている。この掴み部ＸＧ１３１は、後述するように、握持回転部４０１によって握持され、かつ、回転されるようになっており、これにより、ボールねじＸＧ１３を、その軸を中心として回転させることが可能となる。
【００８２】
ガイド機構ＸＧ１は、これら三つの構成が図９又は図２に示すように一体的に構成され、これが、上蓋部ＸＣ１に形成されたガイド機構取付孔ＸＣＧに対して装着されて構成されている。
【００８３】
以上のような構成により、ガイド機構ＸＧ１３における円盤部ＸＧ１１は、図１０（ａ）及び（ｂ）に示すように、ボールねじＸＧ１３を回転させることによって、円筒部ＸＧ１２に沿う図中上下の方向に移動することとなる。これは、本来であれば、ボールねじＸＧ１３を回転させると、それに伴って円盤部ＸＧ１１も共に回転するところ、図２、図９及び図１０においては、該円盤部ＸＧ１１の突出部ＸＧ１１２が円筒部ＸＧ１２の孔ＸＧ１２２から突出しているため、該円盤部ＸＧ１１の回転動作が制約を受けることによる。したがって、その内周にねじが切られた孔ＸＧ１１１を有する円盤部ＸＧ１２は、円筒部ＸＧ１１に沿って図中上下に移動することとなるのである。
【００８４】
なお、このような構成は、下蓋部ＸＣ２に設けられたガイド機構ＸＧ２についても全く同様である。すなわち、該ガイド機構ＸＧ２は、上述と略同様にして、その内周にねじが切られた孔ＸＧ２１１及び突出部ＸＧ２１２を有する円盤部ＸＧ２１、前記突出部ＸＧ２１２を突出させるための孔ＸＧ２２２を有する円筒部ＸＧ２２、並びに、掴み部ＸＧ２３１を有するボールねじＸＧ２３等から構成されている。
【００８５】
ただし、本実施形態においては、上述したように、上蓋部ＸＣ１のガイド機構ＸＧ１が、下蓋部ＸＧ２のガイド機構ＸＧ２に嵌め込み可能に形成されているため、前記の円盤部ＸＧ２１及び円筒部ＸＧ２２等の大きさは、円盤部ＸＧ１１、円筒部ＸＧ１２の大きさとは異なっている。しかしながら、円盤部ＸＧ１１の突出部ＸＧ１１２の先端を連ねた円形の大きさと、円盤部ＸＧ２１の突出部ＸＧ２１２のそれとは同じにしなければならない。これは、後述するように、突出部ＸＧ１１２及びＸＧ２１２のいずれにしても、ＤＶＤ１００の中心孔の内径と一定の関係にある必要があるからである（後に参照する図１０参照）。
【００８６】
また、ガイド機構ＸＧ１がガイド機構ＸＧ２に嵌め込み可能に構成されているため、場合によっては、ガイド機構ＸＧ１を構成する円盤部ＸＧ１１が、ガイド機構ＸＧ２を構成する円筒部ＸＧ２２内にまで至る可能性がある。このような場合においても円盤部ＸＧ１１の動きを滞りなく行うためには、少なくとも、円盤部ＸＧ１１及びＸＧ２１に形成する孔ＸＧ１１１及びＸＧ２１１の径、並びに、ボールねじＸＧ１３及びＸＧ２３の径を等しくするとともに、円筒部ＸＧ１２及びＸＧ２２に形成された孔ＸＧ１２２及びＸＧ２２２が連続した一つの孔を構成するように、ガイド機構ＸＧ１及びＸＧ２の上面ＸＣ１１及び下面ＸＣ２１に対する取付を実施しなければならない（後に参照する図１０参照）。
【００８７】
さて、一方、ＤＶＤプレーヤ１の本体側に設けられるアーム部４０２、握持回転部４０１及びボールねじ４０３等は、図８に示すような構成となっている。なお、これら各構成は、図１に示すように、図中上下二組ずつ設けられているが、図８では、その一組分だけについて図示している。
【００８８】
アーム部４０２は、その先端に握持回転部４０１を備え、基端にボールねじ４０３を備えており、筐体１Ｂ内において該ボールねじ４０３が設置される地点から該筐体１Ｂ内に装填されたＤＶＤケースＸＣの中心地点まで、握持回転部４０１を届かせる作用を有している。
【００８９】
ボールねじ４０３は、アーム部４０２の基端に螺合かつ貫通配置されており、該ボールねじ４０３が回転することによって、アーム部４０２の図中上下の移動が可能なように構成されている。このため、ボールねじ４０３には、図８等においては図示しない駆動モータ等その他必要な構成が備えられるが、その概ねの構成及び動作は、上述のＤＶＤ握持機構２におけるチャック部２０１の上下動を可能としていた構成と略同様と考えてよい。
【００９０】
握持回転部４０１は、握持部４１１及び回転部４２１等を備えている。握持部４１１は、図に示すように円周上に等間隔で配置された三つの爪部材からなる。
これら三つの爪部材は、それぞれ、図中直線矢印に示すように前記円内の径方向に移動することによって、前記ＤＶＤケースＸＣのガイド機構ＸＧ１及びＸＧ２における掴み部ＸＧ１３１及びＸＧ２３１を握持可能に構成されている。また、回転部４２１は、前記握持部４１１のいわば土台を構成し、これを回転可能とする。より詳しくは、回転部４２１の中心にはプーリ４４１及びベルト４５１を介して駆動モータ４３１が接続されており、該駆動モータ４３１の動力が伝達されることによって、回転部４２１、ひいては握持部４１１は回転するようになっている。
【００９１】
なお、上述の再生対象ＤＶＤ分離機構４では、アーム部４０２は上下動のみ可能とされている構成となっていたが、本発明では、該アーム部４０２が、ボールねじ４０３を軸中心として回転可能なような構成を採用してもよい。このような構成によれば、アーム部４０２の基端を中心とした回転動作により、その先端を、ＤＶＤプレーヤ１内に装着されたＤＶＤケースＸＣ中のＤＶＤ１００の中心に対して、位置付ける動作又は回避させる動作が可能となる。これによれば、ＤＶＤケースＸＣの装填にとってアーム部４０２が邪魔になるような可能性を低減することができ、また、筐体１Ｂ内における各種構成のレイアウト自由度を高めること等が可能となる。
【００９２】
このような構成を擁する再生対象ＤＶＤ分離機構４によれば、アーム部４０２の握持回転部４０１が、ＤＶＤケースＸＣの中心に設けられたガイド機構ＸＧ１及びＸＧ２の掴み部ＸＧ１３１及びＸＧ２３１を握持し、かつ、これを回転させることによって、各ガイド機構ＸＧ１及びＸＧ２のボールねじＸＧ１３及びＸＧ２３が回転することになるから、円筒部ＸＧ１２及びＸＧ２２内の円盤部ＸＧ１１及びＸＧ２１に、図１０（ａ）及び（ｂ）に示したような図中上下の動作を行わせることが可能となる。これにより、円盤部ＸＧ１１及びＸＧ２１の突出部ＸＧ１１２及びＸＧ２１２によって、ＤＶＤ１００の中心孔を固持することが可能となるが、この点については、図１３及び図１４の参照説明時に改めて触れる。
【００９３】
また、本実施形態に係るＤＶＤプレーヤ１では特に、図示はされないもののＤＶＤ枚数確認センサが設けられている。このＤＶＤ枚数確認センサは、例えば半導体レーザ部及び受光部等からなる光学式センサとして構成することができ、これにより、筐体１Ｂ内に装填されたＤＶＤケースＸＣ内に、何枚のＤＶＤ１００が収納されているかを検出することが可能となっている。
【００９４】
最後に、ピックアップユニット５は、ＤＶＤ１００を回転させるためのスピンドルモータ５０１、ＤＶＤ１００の記録面に記録されたコンテンツ情報を読み取るためのピックアップ５０２、該ピックアップ５０２のＤＶＤ１００径方向の移動を行うためのキャリッジモータ５０３等を備えているが、これらについては公知の構成であるため、その他の説明は省略する。
【００９５】
以下では、このような構成となるＤＶＤプレーヤ１の動作、及びその作用効果について図１１のフローチャートを参照しながら説明する。
【００９６】
まず、本実施形態に係るＤＶＤケースＸＣに対して、複数枚のＤＶＤ１００を装着する（ステップＳ１０）。この装着は、図１２に示すように、ＤＶＤ１００の中心に形成されている孔１００Ｎに、ガイド機構ＸＧ１及びＸＧ２を通すようにして行われる。また、この装着は、複数枚のＤＶＤ１００の面同士が相互に触れるように、直接的に積層されてなる。なお、以下では、６枚のＤＶＤ１００が積層される場合について説明し、各ＤＶＤ１００については、図１２に示すように、１番上からＤＶＤ１００（１）、１００（２）、…、１００（６）という符号を付すこととする。
【００９７】
次に、このようにＤＶＤ１００を装着したＤＶＤケースＸＣを、上述したようなＤＶＤプレーヤ１に対して装填する（ステップＳ１２）。装填されたＤＶＤケースＸＣは、該ＤＶＤプレーヤ１内において、上述の各種構成の概ね中心に位置するように配置される。ここで本実施形態においては特に、ＤＶＤケースＸＣ内に何枚のＤＶＤ１００が収納されているかが、ＤＶＤ枚数確認センサによって確認される（ステップＳ１４）。ここで確認されたＤＶＤ１００の枚数（いまの例では、「６」）は、後述のＤＶＤ握持機構２、再生対象ＤＶＤ分離機構４等の動作時において、その好適な動作を実現するために参照されることとなる。
【００９８】
次に、ユーザからの再生指令等を待った上で、ＤＶＤの再生処理を開始する。
ここでは、ユーザからの再生指令が、ＤＶＤケースＸＣ内における上から４枚目のＤＶＤ１００（４）である場合を想定した説明を行うこととする。
【００９９】
まず、ＤＶＤプレーヤ１が、当該再生指令を受けると、ＤＶＤ握持機構２及びＤＶＤケース分離機構３が動作する。ＤＶＤ握持機構２は、４枚目のＤＶＤ１００（４）を握持すべく、駆動モータ２０７を適当な時間作動させることで、ギア群２０５を介してチャック部２０１にその動力を伝達する。チャック部２０１は、これにより上下動し所定の位置に配置され、ＤＶＤ１００（４）は握持されることになる（ステップＳ１６）。この際、ＤＶＤケースＸＣ内に収納されているＤＶＤ１００の枚数が正確に確認されていることにより、チャック部２０１によるＤＶＤ１００（４）の握持は、正確に行うことができる。また、本実施形態においては特に、このチャック部２０１によるＤＶＤ１００（４）の握持は、ＤＶＤケースＸＣに形成されている開口部ＸＣ１４Ｈ及びＸＣ１５Ｈ並びにＸＣ２４Ｈ及びＸＣ２５Ｈ（以下、符号「ＸＣ１４Ｈ」に代表させる。）を利用して行うことが可能である。すなわち、これら開口部ＸＣ１４Ｈにおいては、図３を参照して説明したように、ＤＶＤ１００の外周部が外部に露出しているから、その握持が容易に行えるのである。
【０１００】
次に、ＤＶＤケース分離機構３が作動する。すなわち、偏心カム３０３を回転させることで、舌片部押しピン３０１を、ＤＶＤケースＸＣにおける上蓋部ＸＣ１の切り欠き部ＸＣ１４２及びＸＣ１５２に通し、かつ、該ピン３０１を舌片部ＸＣ２４Ｚ及びＸＣ２５Ｚに当接させるとともに適度な力で押す。すると、図５を参照して説明したように、舌片部ＸＣ２４１は、その先端がしなるように変形することで、下蓋部ＸＣ２の凸部ＸＣ２４１と上蓋部ＸＣ１の凹部ＸＣ１４１とを離間させることが可能となる。これにより、上蓋部ＸＣ１及び下蓋部ＸＣ２の分離（後述する。）を可能とすることになる（ステップＳ１８）。なお、図５では片側のみ示していたが、舌片部押しピン３０１は、図５に示すように図中左右両側に設けられており、ＤＶＤケースＸＣの両側について、既述のような凸部・凹部間の離間動作が行われることとなる。
【０１０１】
次に、再生対象ＤＶＤ分離機構４が作動する。より詳細には、ボールねじ４０３を所定角度だけ回転させることによって、アーム部４０２を上下動させ、その先端に設けられている握持回転部４０１によって、ＤＶＤケースＸＣの上蓋部ＸＣ１及び下蓋部ＸＣ２それぞれに設けられたガイド機構ＸＧ１及びＸＧ２に当接させるようにする。続いて、その握持回転部４０１の握持部４１１によって、それぞれのガイド機構ＸＧ１及びＸＧ２の掴み部ＸＧ１３１及びＸＧ２３１を握持するとともに、回転部４２１を回転させることで、これを所定角度だけ回転させる。すると、図１０を参照して説明したように、ガイド機構ＸＧ１及びＸＧ２における円盤部ＸＧ１１及びＸＧ２１は、円筒部ＸＧ１２及びＸＧ２２内を上下に移動することとなる。
【０１０２】
ここで、突出部ＸＧ１１２とＤＶＤ１００の孔１００Ｎとの間には、次に記すような「一定の関係」がある。すなわち、本実施形態においては、図１０で説明したような円盤部ＸＧ１１の上下の移動及び突出部ＸＧ１２によるＤＶＤ１００の孔１００Ｎの内周の固持によって、再生対象のＤＶＤ１００の直上（又は直下）に位置するＤＶＤ１００を、該再生対象のＤＶＤ１００から離間・分離させる作用を発揮するが、この際まず、前者の「移動」を実現するためには、図１２における３枚目のＤＶＤ１００（３）に到達するまで、円盤部ＸＧ１１は、２枚のＤＶＤ１００（１）及び１００（２）それぞれの孔１００Ｎを通過しなければならない。このとき、突出部ＸＧ１１２の剛性があまりに大きいと、これが不可能となる。また、後者の「固持」を実現するためには、当該３枚目のＤＶＤ１００（３）に到達した時点において、これを固持しなければならないが、突出部ＸＧ１１２の弾性があまりに大きいと、これが不可能となる。このように、両者を実現するためには、一般に、突出部ＸＧ１１２とＤＶＤ１００の孔１００Ｎとの間には、その材料、形状等に関して、満たされるべき一定の好ましい条件がある。
【０１０３】
より具体的には、突出部ＸＧ１１２の先端を連ねて観念される円形の大きさとＤＶＤ１００の孔１００Ｎの大きさとが略一致し、かつ、該突出部ＸＧ１１２が適当な材料で構成されることが好ましい。本実施形態においては、突出部ＸＧ１１２が、既述のように、適当な弾性を有する材料から構成されているため、上述のような「一定の関係」は好適に満たされることとなる。
【０１０４】
以上のことから、本実施形態においては、図１３及び図１４に示すように、再生対象のＤＶＤ１００（４）の分離がなされることになる（ステップＳ２０）。
すなわちまず、図１３に示すように、ＤＶＤ握持機構２のチャック部２０１によって握持された再生対象のＤＶＤ１００（４）の直上及び直下に位置するＤＶＤ１００（３）及び１００（５）の孔１００Ｎを、それぞれ、ガイド機構ＸＧ１及びＸＧ２における円盤部ＸＧ１１及びＸＧ２１の突出部ＸＧ１１２及びＸＧ２１２によって固持する。これは、図１３に示すように、ガイド機構ＸＧ１及びＸＧ２の掴み部ＸＧ１３１及びＸＧ２３１を再生対象ＤＶＤ分離機構４の握持回転部４０１によって握持した後、これを回転動作させることにより実現することができる。この際、上述したように、突出部ＸＧ１１２及びＸＧ２１２が適当な弾性を有する材料からなり、かつ、これらの先端を連ねた円形の大きさと孔１００Ｎの大きさとは略一致しているため、円盤部ＸＧ１１及びＸＧ２１のスムースな移動と、突出部ＸＧ１１２及びＸＧ２１２による孔１００Ｎの内周の固持との両者を、円滑かつ確実に行うことができる。そして次に、図１４に示すように、再生対象ＤＶＤ分離機構４のアーム部４０２を、図中上下に移動させることによって、図１３において固持されたＤＶＤ１００（３）より上層に位置する構成、すなわちＤＶＤ１００（２）及び１００（１）並びに上蓋部ＸＣ１は上に、同じくＤＶＤ１００（５）より下層に位置する構成、すなわちＤＶＤ１００（６）及び下蓋部ＸＣ２は下に、それぞれ移動することとなる。その結果、再生対象のＤＶＤ１００（４）は、いわば宙に浮いたような状態となり、これにより当該ＤＶＤ１００（４）の分離作業が終了することとなる。なお、図１５においては、このような状態を斜視的に示している。この図においても、上蓋部ＸＣ１及び下蓋部ＸＣ２は上下に分離され、チャック部２０１に握持されたＤＶＤ１００（４）のみが宙に浮いているかの如き状態が現出されていることがわかる。
【０１０５】
この後は、ＤＶＤ１００（４）の孔１００Ｎに対してスピンドルモータ５０１の出力軸が嵌め込まれるように（より実際的には、図示しないディスク・クランプ機構等によって、ＤＶＤ１００（４）の孔１００Ｎの内周をクランプすることによって、スピンドルモータ５０１の出力軸を当該孔１００Ｎに機械的に接続するような形となる。）、あるいは、ＤＶＤ１００（４）の情報記録面にピックアップ５０３が対向するように、ピックアップユニット５を所定位置に移動させた後（図１５参照）、通常の再生処理を実行すればよい（ステップＳ２２）。なお、再生が完了したＤＶＤをＤＶＤケースＸＣ内に戻す場合には、上述した再生させる場合の動作と逆の動作を行えば良い。
【０１０６】
以上のように、本実施形態に係るＤＶＤプレーヤ１においては、次のような作用効果が奏されることとなる。
【０１０７】
まず、ＤＶＤプレーヤ１内において、ＤＶＤ１００はそれらの面同士が相互に接触するように積層されており、従来のように、各ＤＶＤ１００を載置するために設けられていたトレイ等が必要なくなるから、その相応分、本実施形態に係るＤＶＤプレーヤ１はコンパクト化されているということができる。
【０１０８】
また、上述したように、本実施形態においては、再生対象のＤＶＤ１００（４）を分離させる動作がきわめて小さい。すなわち、該ＤＶＤ１００（４）の直下に位置するＤＶＤ１００（５）及び（６）は、これと再生対象ＤＶＤ１００（４）との間に、ピックアップユニット５を配置することが可能な程度に移動すればよいし、該ＤＶＤ１００（４）の直上に位置するＤＶＤ（１）ないし（３）に至っては、再生対象ＤＶＤ１００（４）と接触しない程度の最小限の移動で足りる。すなわち、本実施形態においては、上述の移動を実現するためのスペースさえ存在していれば、再生対象ＤＶＤ１００（４）の再生を実行することができるので、装置の大型化を招くようなことがないのである。また、再生対象のＤＶＤ１００（ｎ）を分離に必要となる動作が極めて小さいということは、あるＤＶＤ（ｎ１）を再生した後、新たなＤＶＤ１００（ｎ２）（ただし、ｎ１≠ｎ２）を再生するという連続再生処理を、極めて滑らかに、かつ、迅速に行えることを意味する。
【０１０９】
以上のように、本実施形態によれば、連続再生処理を極めて滑らかに且つ迅速に行える、換言すれば、再生対象ＤＶＤ１００（ｎ）の選択を極めて迅速に行えるとともに、よりコンパクトに構成することの可能なＤＶＤプレーヤ１を提供することができる。
【０１１０】
以上のような本実施形態に係る作用効果は、図１６に示す従来のＤＶＤプレーヤ１Ｃとの対比においてより明確になる。ここに図１６は、従来のＤＶＤプレーヤ１Ｃの構成を示す図であり、（ａ）は全体斜視図、（ｂ）は平面図、（ｃ）は側面図である。
【０１１１】
この図１６に示すように、従来のＤＶＤプレーヤ１Ｃでは、複数枚のＤＶＤ１００を装着可能である点については本実施形態に係るＤＶＤプレーヤ１と同様であるが、該複数枚のＤＶＤ１００の各々は複数のトレイＸＣＣＴ上に載置される形で装着されるようになっている。そして、再生対象のＤＶＤ１００を選択するためには、図１６（ｃ）に示すように、トレイＸＣＣＴごと残りのＤＶＤ１００を図中上方へと移動するような構成となっていた。これにより、従来のＤＶＤプレーヤ１Ｃでは、ＤＶＤ１００が設置されるべき空間とは別に、上述のようなトレイＸＣＣＴの図中上方への移動を実現する領域分だけ余計な空間を確保しておかなければならなかったのである。また、このような形態では、一のＤＶＤから次のＤＶＤへの連続再生を実施する際には、トレイＸＣＣＴの移動距離が大きいため、比較的長期の時間がかかっていたのである。
【０１１２】
しかるに、本実施形態に係るＤＶＤプレーヤ１は、既に述べたように、上記二つの問題点を有効に解消し、コンパクトなＤＶＤプレーヤ１における連続再生が可能であり、かつ、滑らか且つ迅速な連続再生が可能なのである。
【０１１３】
また、本発明は、記録媒体挿入口が開口しているマガジンより取り扱いの優れた蓋体を有するＤＶＤケースそのものを筐体内に挿入、装填してディスク状記録媒体に記録されたコンテンツ情報を再生させることができるため、より利便性に優れた情報再生装置、再生方法を提供することができる。
【０１１４】
ちなみに、本実施形態のＤＶＤプレーヤ１に係る上述のような作用効果は、上述のＤＶＤプレーヤ１が車載用である場合にとりわけ有効である。というのも、ＤＶＤプレーヤ１をよりコンパクトに構成することが可能であるから、従来、一般的にトランク等に設置されていたＤＶＤプレーヤを、例えば、より快適な操作が可能となるダッシュボードの一部として構成する、等ということが可能となるからである。
【０１１５】
さらに、本実施形態においては特に、ＤＶＤプレーヤ１は、ＤＶＤケースＸＣを装填可能であり、かつ、該ＤＶＤケースＸＣにおける上蓋部ＸＣ１及び下蓋部ＸＣ２の分離を比較的容易に行える構成（すなわち、凸部ＸＣ２４１及びＸＣ２５１並びに凹部ＸＣ１４１及びＸＣ１５１、あるいは舌片部ＸＣ１４Ｚ及びＸＣ２４Ｚ等）を備えていたから、ＤＶＤケースＸＣによる複数枚のＤＶＤ１００の取り扱い容易性という効果と、コンパクトなＤＶＤプレーヤ１による連続再生処理という効果とを同時に享受することができる。加えて、本実施形態においては、再生対象ＤＶＤ分離機構４が、ＤＶＤプレーヤ１側に設けられる握持回転部４０１等と、ＤＶＤケースＸＣ側に設けられるガイド機構ＸＧ１及びＸＧ２とからなり、再生対象ＤＶＤ１００（４）の分離は、これら両者のいわば協働作業により実現されるようになっているため、ＤＶＤプレーヤ１に搭載すべき再生対象ＤＶＤ分離機構４の構成の簡略化等を図ることができる。
【０１１６】
なお、上記実施形態においては、再生対象のＤＶＤ１００（４）を分離するために、ＤＶＤケースＸＣにおけるガイド機構ＸＧ１及びＸＧ２の円盤部ＸＧ１１及びＸＧ２１を利用しつつ、ＤＶＤプレーヤ１内の設置された握持回転部４０１及びアーム部４０２等を利用していたが、本発明は、このような形態に限定されるものではない。例えば、前記ＤＶＤ分離機構４のアーム部４０２の先端に、握持回転部４０１に代えて又は加えて、前述のような円盤部ＸＧ１１及びＸＧ２１、円筒部ＸＧ１２及びＸＧ２２、並びに、ボールねじＸＧ１３及びＸＧ２３等と同等な構成を備えることによって、上記実施形態では、ガイド機構ＸＧ１及びＸＧ２が担っていた再生対象ＤＶＤの直上又は直下に位置するＤＶＤの固持作用を、ＤＶＤプレーヤ側で実現するような形態としてもよい。このような形態では、例えば、ＤＶＤプレーヤ内にいわば裸の状態でＤＶＤ１００を装填し、該ＤＶＤ１００の孔１００Ｎに、ＤＶＤ分離機構４の一部として設けられた前記の円盤部ＸＧ１１等を挿入するような形で運用すればよい。
【０１１７】
また、上記実施形態では、ＤＶＤ１００を再生するためのＤＶＤプレーヤ１について説明したが、本発明は、このような形態に限定されるものではない。例えば、ＣＤ、ＭＤ等のディスク状記録媒体を再生するプレーヤについても、全く同様に当てはめて考えることができる。
【０１１８】
本発明は、上述した実施形態に限られるものではなく、請求の範囲及び明細書全体から読み取れる発明の要旨、あるいは思想に反しない範囲で適宜変更可能であり、そのような変更を伴う情報再生装置及び情報再生方法もまた、本発明の技術的範囲に含まれるものである。
【図面の簡単な説明】
【図１】本発明の実施形態に係るＤＶＤプレーヤの概略構成を示す斜視図である。
【図２】図１に示すＤＶＤプレーヤ内に装填されるＤＶＤケースの全体的な概要を示す斜視図である。
【図３】前記ＤＶＤケースを構成する上蓋部の平面図である。
【図４】図３における符号Ａが示す円形内の拡大図であって、舌片部の構成を示す説明図である。
【図５】図４に示す舌片部の全体構成を示す斜視図である。
【図６】図１に示すＤＶＤプレーヤを構成するＤＶＤ握持機構の構成を示す図であって、（ａ）はその正面図、（ｂ）は平面図である。
【図７】図１に示すＤＶＤプレーヤを構成するＤＶＤケース分離機構の構成を示す平面図である。
【図８】図１に示すＤＶＤプレーヤを構成する再生対象ＤＶＤ分離機構の構成を示す図であって、（ａ）はその正面図、（ｂ）は平面図である。
【図９】図２に示すＤＶＤケースを構成するガイド機構の詳細な構成を示す分解斜視図である。
【図１０】図２に示すＤＶＤケースを構成するガイド機構の動作を説明するための説明図である
【図１１】図１に示すＤＶＤプレーヤによってＤＶＤを再生する場合の処理の流れを示すフローチャートである。
【図１２】図２に示すＤＶＤケースに対して複数枚のＤＶＤを装着した状態を示す断面図である。
【図１３】図１２に示す状態より進み、再生対象のＤＶＤの直上及び直下に位置するＤＶＤの孔の内周をガイド機構における円盤部の突出部によって固持する状態を示す断面図である。
【図１４】図１３に示す状態より進み、再生対象のＤＶＤの分離を実現し、該ＤＶＤの情報記録面に対してピックアップユニットを対向させた状態を示す断面図である。
【図１５】再生対象のＤＶＤの分離を実現した状態を斜視的に示す説明図である。
【図１６】従来のＤＶＤプレーヤの構成を示す図であり、（ａ）は全体斜視図、（ｂ）は平面図、（ｃ）は側面図である。
【符号の説明】
１００…ＤＶＤ
１００Ｎ…（ＤＶＤの中心の）孔
ＸＣ…ＤＶＤケース
ＸＣ１…上蓋部
ＸＣ２…下蓋部
ＸＣ１１…上面
ＸＣ１３、ＸＣ２２、ＸＣ２３…側壁面
ＸＣ１４、ＸＣ１５、ＸＣ２４、ＸＣ２５…対向面
ＸＣ１４Ｈ、ＸＣ１５Ｈ、ＸＣ２４Ｈ、ＸＣ２５Ｈ…開口部
ＸＣ１４１、ＸＣ１５１…凹部
ＸＣ２４１、ＸＣ２５１…凸部
ＸＣ２４Ｚ、ＸＣ２５Ｚ…舌片部
ＸＣ１４２、ＸＣ１５２…切り欠き部
ＸＧ１、ＸＧ２…ガイド機構
ＸＧ１１、ＸＧ２１…円盤部
ＸＧ１１１、ＸＧ２１１…内周にねじが切られた孔
ＸＧ１１２、ＸＧ２１２…突出部
ＸＧ１２、ＸＧ２２…円筒部
ＸＧ１２１、ＸＧ２２１…側壁
ＸＧ１２２、ＸＧ２２２…孔
ＸＧ１３、ＸＧ２３…ボールねじ
ＸＧ１３１、ＸＧ２３１…掴み部
ＸＣＧ…ガイド機構取付孔
１…ＤＶＤプレーヤ
２…ＤＶＤ握持機構
２０１…チャック部
２０３…ボールねじ
２０５…ギア群
２０７…駆動モータ
３…ＤＶＤケース分離機構
３０１…舌片部押しピン
３０３…偏心カム
３０５…動力伝達軸
４…再生対象ＤＶＤ分離機構
４０１…握持回転部
４１１…握持部
４２１…回転部
４３１…駆動モータ
４４１…プーリ
４５１…ベルト
４０２…アーム部
４０３…ボールねじ部
５…ピックアップユニット
５０１…スピンドルモータ
５０２…ピックアップ
５０３…キャリッジモータ
【図１】
2004054998.tif 000003
【図２】
2004054998.tif 000004
【図３】
2004054998.tif 000005
【図４】
2004054998.tif 000006
【図５】
2004054998.tif 000007
【図６】
2004054998.tif 000008
【図７】
2004054998.tif 000009
【図８】
2004054998.tif 000010
【図９】
2004054998.tif 000011
【図１０】
2004054998.tif 000012
【図１１】
2004054998.tif 000013
【図１２】
2004054998.tif 000014
【図１３】
2004054998.tif 000015
【図１４】
2004054998.tif 000016
【図１５】
2004054998.tif 000017
【図１６】
2004054998.tif 000018